(57)【要約】【課題】  複数のコンテンツを出力したい場合には、一般的にコンテンツの数だけ紙を出力する必要がある。そのため複数のコンテンツをお互いに比較したい場合には不便である。また、枚数が増えるため、経済的でない。【解決手段】  第一の発明は、プリントアウトしたい複数のコンテンツ情報と、コンテンツ情報のプリントアウト実行場所を識別するための実行場所識別子と、を含む情報であるプリントアウト情報を取得するプリントアウト情報取得部と、プリントアウト情報取得部で取得したプリントアウト情報に含まれる複数のコンテンツ情報を一枚の紙にまとめてプリントアウト可能な情報であるまとめ情報に変換するまとめ情報変換部と、まとめ情報変換部で変換されたまとめ情報を、プリントアウト情報に含まれる実行場所識別子で識別されるプリントアウト実行場所に送信する送信部とを有する。【選択図】  図１
2005141422.tif 000002
【特許請求の範囲】
【請求項１】
プリントアウトしたい複数のコンテンツ情報と、前記コンテンツ情報のプリントアウト実行場所を識別するための実行場所識別子と、を含む情報であるプリントアウト情報を取得するプリントアウト情報取得部と、
前記プリントアウト情報取得部で取得したプリントアウト情報に含まれる複数のコンテンツ情報を一枚の紙にまとめてプリントアウト可能な情報であるまとめ情報に変換するまとめ情報変換部と、
前記まとめ情報変換部で変換されたまとめ情報を、前記プリントアウト情報に含まれる実行場所識別子で識別されるプリントアウト実行場所に送信する送信部と、
を有するコンビニエンス・プリントアウトサーバ装置。
【請求項２】
前記まとめ情報変換部で変換されたまとめ情報は、無償ビューアを利用してプリントアウト可能なフォーマットである無償プリントアウトフォーマット情報である請求項１に記載のコンビニエンス・プリントアウトサーバ装置。
【請求項３】
前記プリントアウト情報には、プリントアウトする紙のサイズを識別するための情報である紙サイズ識別情報が含まれる請求項１又は２に記載のコンビニエンス・プリントアウトサーバ装置。
【請求項４】
プリントアウトしたい複数のコンテンツ情報と、前記コンテンツ情報のプリントアウト実行場所を識別するための実行場所識別子と、を含む情報であるプリントアウト情報を取得するプリントアウト情報取得ステップと、
前記プリントアウト情報取得ステップで取得したプリントアウト情報に含まれる複数のコンテンツ情報を一枚の紙にまとめてプリントアウト可能な情報であるまとめ情報に変換するまとめ情報変換ステップと、
前記まとめ情報変換ステップで変換されたまとめ情報を、前記プリントアウト情報に含まれる実行場所識別子で識別されるプリントアウト実行場所に送信する送信ステップと、
からなる工程を有するコンビニエンス・プリントアウトサーバ動作方法。
【請求項５】
前記まとめ情報変換ステップで変換されたまとめ情報は、無償ビューアを利用してプリントアウト可能なフォーマットである無償プリントアウトフォーマット情報である請求項４に記載のコンビニエンス・プリントアウトサーバ動作方法。
【請求項６】
前記プリントアウト情報には、プリントアウトする紙のサイズを識別するための情報である紙サイズ識別情報が含まれる請求項４又は５に記載のコンビニエンス・プリントアウトサーバ動作方法。
【発明の詳細な説明】
【技術分野】
【０００１】
本件発明は、複数のコンテンツ情報を一枚の紙にまとめてプリントアウト可能なマルチコンテンツプリントサービスに関する。
【背景技術】
【０００２】
従来、出張先や外出先で会議や打ち合わせをしたり、顧客にプレゼンテーションをしたりするための資料などを手持ちで持っていくか、あらかじめ宅配便などの業者に依頼して送付しておく必要があり、手間とコストがかかっていた。そこで、それら印刷用のデータを、一般企業やコンビニエンスストアなどで設置稼動しているネットワークプリンタを用いて印刷することで、外出先から必要な印刷物を入手する方法が提案されている。
【特許文献１】特開２００３−６７１６４
【発明の開示】
【発明が解決しようとする課題】
【０００３】
しかしながら、上記のような方法は、複数のコンテンツを出力したい場合には、一般的にコンテンツの数だけ紙を出力する必要がある。そのため複数のコンテンツをお互いに比較したい場合には不便である。また、枚数が増えるため、経済的でない。
【課題を解決するための手段】
【０００４】
本件発明は、上記課題に鑑みなされたものである。
【０００５】
第一の発明は、プリントアウトしたい複数のコンテンツ情報と、前記コンテンツ情報のプリントアウト実行場所を識別するための実行場所識別子と、を含む情報であるプリントアウト情報を取得するプリントアウト情報取得部と、前記プリントアウト情報取得部で取得したプリントアウト情報に含まれる複数のコンテンツ情報を一枚の紙にまとめてプリントアウト可能な情報であるまとめ情報に変換するまとめ情報変換部と、前記まとめ情報変換部で変換されたまとめ情報を、前記プリントアウト情報に含まれる実行場所識別子で識別されるプリントアウト実行場所に送信する送信部と、を有するコンビニエンス・プリントアウトサーバ装置に関する。
【０００６】
第二の発明は、前記まとめ情報変換部で変換されたまとめ情報は、無償ビューアを利用してプリントアウト可能なフォーマットである無償プリントアウトフォーマット情報である第一の発明に記載のコンビニエンス・プリントアウトサーバ装置に関する。
【０００７】
第三の発明は、前記プリントアウト情報には、プリントアウトする紙のサイズを識別するための情報である紙サイズ識別情報が含まれる第一の発明又は第二の発明に記載のコンビニエンス・プリントアウトサーバ装置に関する。
【発明の効果】
【０００８】
本件発明のマルチコンテンツプリントサービスによれば、複数のコンテンツ情報を一枚の紙にまとめてプリントアウト可能であるので複数のコンテンツを比較参照することが容易となる。また、複数のコンテンツ情報を一枚の紙にまとめてプリントアウトすることにより、プリントアウトする紙の数を削減することが可能となる。また、コンビニエンス・プリントアウトサーバ装置にのみ複数のコンテンツを一枚の紙にまとめるための変換ソフトを設置すればよいので非常に経済的である。さらに、コンビニエンスストアなどのプリンタ設置側のビューアソフトを無償のフリーソフトなどを使用することにより、さらにコスト削減を図ることができる。さらに、プリントアウトしたい紙サイズでプリントアウトすることが可能となる。
【発明を実施するための最良の形態】
【０００９】
以下に本件発明の実施形態を説明する。実施形態と、請求項との関係はおおむね次のようなものである。
実施形態１は、主に、請求項１、請求項４などについて説明している。
実施形態２は、主に、請求項２、請求項５などについて説明している。
実施形態３は、主に、請求項３、請求項６などについて説明している。
【００１０】
<<実施形態１>>
<実施形態１の概念>
図１に示すのは、実施形態１のコンビニエンス・プリントアウトサーバ装置を説明するための概念図である。サービスユーザは、プリントアウト情報送信端末装置から各種サーバ装置にアクセスし、サーバ装置内にサービス提供者によって蓄積・更新されている商用も含む各種ビジネス・コンテンツにアクセスして、複数のコンテンツをダウンロードする。サービスユーザは、ダウンロードした複数のコンテンツをコンビニエンス・プリントアウトサーバ装置に送信する。コンビニエンス・プリントアウトサーバ装置は受信した複数のコンテンツを一枚の紙にまとまるようにまとめ情報に変換する。変換されたまとめ情報をコンビニエンスプリント端末に送信する。コンビニエンスプリント端末は、受信したまとめ情報をプリントアウトする。
【００１１】
<構成要件の明示>
以下に、実施形態１の構成要件を明示する。
図２に示すのは、実施形態１のコンビニエンス・プリントアウトサーバ装置０２００の機能ブロック図である。コンビニエンス・プリントアウトサーバ装置は、プリントアウト情報取得部０２０１と、まとめ情報変換部０２０２と、送信部０２０３と、からなる。
【００１２】
<構成の説明>
以下に、実施形態１の構成要件の説明をする。
<基本機能ブロック図の導入>
【００１３】
（プリントアウト情報取得部）
「プリントアウト情報取得部」は、プリントアウトしたい複数のコンテンツ情報と、コンテンツ情報のプリントアウト実行場所を識別するための実行場所識別子と、を含む情報であるプリントアウト情報を取得する。「プリントアウト情報」は、コンテンツ情報と実行場所識別子と、を有する。ここで「コンテンツ情報」とは、伝達したい内容そのものを構成する情報のことをいう。コンテンツ情報は、一般的には、コンテンツ情報の作成に使用するアプリケーションソフト特有のフォーマットになっている。コンテンツ情報には、ワープロで作成された文書、図面作成ソフトで作成された図面、プレゼンテーション用ソフトで作成されたプレゼンテーション資料、表計算ソフトで作成された資料、画像処理ソフトで作成された画像などが該当する。一例として、ワープロソフトには、Ｍｉｃｒｏｓｏｆｔ（登録商標）  Ｗｏｒｄ、一太郎（登録商標）、ＯＡＳＹＳ（登録商標）などが該当する。図面作成ソフトには、ＶＩＳＩＯ（登録商標）、花子（登録商標）などが該当する。プレゼンテーション用ソフトには、ＰｏｗｅｒＰｏｉｎｔ（登録商標）などが該当する。表計算ソフトには、Ｍｉｃｒｏｓｏｆｔ（登録商標）  Ｅｘｃｅｌ、Ｌｏｔｕｓ１−２−３（登録商標）などが該当する。画像処理ソフトには、ＰａｉｎｔＳｈｏｐＰｒｏ（登録商標）などが該当する。
【００１４】
また、コンテンツ情報は、事業者等が運営するインターネット上の各種サーバ装置内にある、サービス提供者によって蓄積・更新されている商用も含む各種ビジネス・コンテンツであってもよい。インターネット上の各種サーバ装置内のコンテンツ情報には、地図情報、路線情報、天気情報、イベント情報、宿泊情報、商品情報、ニュース情報、ビジネス情報など、さまざまなコンテンツ情報が該当する。これらコンテンツ情報は、一例として、ＨＴＭＬ（ＨｙｐｅｒＴｅｘｔ  Ｍａｒｋｕｐ  Ｌａｎｇｕａｇｅ）、ＸＭＬ（ｅＸｔｅｎｓｉｂｌｅ  Ｍａｒｋｕｐ  Ｌａｎｇｕａｇｅ）、ＪＡＶＡ（登録商標）アプリケーションなどで作成される。
【００１５】
次に、「実行場所識別子」とは、一例として、どの系列のコンビニエンスストアの、どの地域の、どの店舗のプリンタサーバあるいはプリンタでプリントアウトするのかといったプリントアウト実行場所を識別するための識別子である。実行場所識別子は、一例として、コンビニエンスストアサーバコード（ＣＳＳ１１１）やコンビニ店舗コード（ＣＳ１１１１１１）やプリンタサーバコード（ＰＳ１１１）やパソコンコード（ＰＣ１１１）やプリンタコード（ＰＲ１１１）などで構成される。実行場所識別コードの一例として、「ＣＳＳ１１１−ＣＳ１１１１１１−ＰＳ１１１−ＰＲ１１１」などが該当する。
【００１６】
（まとめ情報変換部）
「まとめ情報変換部」は、プリントアウト情報取得部で取得したプリントアウト情報に含まれる複数のコンテンツ情報を一枚の紙にまとめてプリントアウト可能な情報であるまとめ情報に変換する。
【００１７】
図４に示すのは、複数のコンテンツ情報を一枚の紙にまとめてプリントアウト可能な情報であるまとめ情報の概念を示した一例を示す図である。図４の場合には、複数のコンテンツ情報は、コンテンツ情報１、コンテンツ情報２、コンテンツ情報３で構成されている。コンテンツ情報１、コンテンツ情報２、コンテンツ情報３は、まとめ情報変換部にてまとめ情報に変換される。まとめ情報は、それぞれコンテンツ情報１、コンテンツ情報２、コンテンツ情報３に対応するコンテンツ１、コンテンツ２、コンテンツ３を含んでいる。
【００１８】
次に、まとめ変換部での実行手段について説明する。一例として、まとめ変換部は、プリントアウトフォーマット統一実行手段と、レイアウト実行手段と、を有する。
【００１９】
「プリントアウトフォーマット統一実行手段」は、プリントアウト情報取得部で取得したプリントアウト情報に含まれる複数のコンテンツ情報のフォーマットを、プリントアウト実行場所であるコンビニエンスプリント端末などがプリントアウト可能なフォーマットに統一する。例えば、複数のコンテンツ情報は、コンテンツ情報１、コンテンツ情報２、コンテンツ情報３で構成されているものとする。コンテンツ情報１のフォーマットはワープロソフトフォーマット、コンテンツ情報２のフォーマットは図面ソフトフォーマット、コンテンツ情報３のフォーマットは表計算ソフトフォーマットであるとする。このとき、コンテンツ情報１、コンテンツ情報２、コンテンツ情報３は、コンビニエンスプリント端末などがプリントアウト可能なフォーマット、例えば、ビットマップ形式に変換・統一される。
【００２０】
さらに、「レイアウト実行手段」は、プリントアウトフォーマット統一実行手段にて変換・統一されたフォーマットを有する複数のコンテンツ情報を、一枚の紙にまとめてプリントアウト可能な情報であるまとめ情報となるように編集・配置する。ここで「編集」とは、コンテンツ情報に余白などが存在する場合に余白を削除すること、各コンテンツ情報の大きさ（縦横の拡大・縮小比率）を決定すること、各コンテンツ情報の向きを決定することなどをいう。一例として、プリントアウトする紙サイズを、コンテンツ情報の数で均等に分割し、分割された個々の領域の大きさに収まるように各コンテンツ情報の大きさを、縦横に拡大・縮小することが考えられる。また、「配置」とは、編集された複数のコンテンツ情報を、一枚の紙にまとめてプリントアウト可能な情報であるまとめ情報となるように並べることをいう。また、レイアウト実行手段は、編集してから配置することに限定されず、配置してから最適なまとめ情報になるように編集してもよい。
【００２１】
図１２に示すのは、プリントアウトフォーマット統一実行手段によって、コンテンツ情報１、コンテンツ情報２、コンテンツ情報３がビットマップ形式に変換・統一される概念の一例を示した図である。コンテンツ情報１はワープロ文書、コンテンツ情報２は図面、コンテンツ情報３は表であり、それぞれのアプリケーションソフトで作成されているものとする。プリントアウトフォーマット統一実行手段は、それぞれのアプリケーションソフトで作成されたワープロ文書、図面、表を、ビットマップ形式に変換・統一する。
【００２２】
図１３に示すのは、レイアウト実行手段によって、ビットマップ形式のワープロ文書・図面・表が、プリントアウトする紙サイズにレイアウトされる概念の一例を示した図である。プリントアウトフォーマット統一実行手段によって、ビットマップ形式に変換・統一されたワープロ文書・図面・表は、プリントアウトする紙サイズを３等分した領域にレイアウトされる。ここで、ビットマップ形式に変換・統一されたワープロ文書・図面・表の紙サイズが縦ｙセンチ、横ｘセンチであるとし、プリントアウトする紙サイズが、縦Yセンチ、横Xセンチであるとする。図１３の場合には、プリントアウトする紙サイズを、コンテンツ情報の数３で、横方向に３等分してある。すなわち、縦Yセンチ、横Ｘ／３センチの３つの領域に３つのコンテンツ情報をレイアウトしてある。ここで、ビットマップ形式に変換・統一された３つのコンテンツ情報は、それぞれｙ<Ｙ、ｘ<Ｘ／３となるようにレイアウトされる。
【００２３】
（送信部）
「送信部」は、まとめ情報変換部で変換されたまとめ情報を、プリントアウト情報に含まれる実行場所識別子で識別されるプリントアウト実行場所に送信する。ここで、プリントアウト実行場所がコンビニエンスストアサーバである場合や、コンビニ店舗内に設置されたプリンタサーバである場合には、後から、プリントアウト実行場所を変更することも可能である。例えば、サービス利用者が移動しながら携帯端末などのＧＰＳ（Ｇｌｏｂａｌ  Ｐｏｓｉｔｉｏｎｉｎｇ  Ｓｙｓｔｅｍ）機能を利用して、最適なプリントアウト実行場所（一例として、一番近い位置にあるコンビニエンスストアなど）を選択することが可能である。行先が変更になったような場合に有効である。
【００２４】
<実施例に基づく説明>
以下に、実施形態１のコンビニエンス・プリントアウトサーバ装置の実施例１について説明する。
【００２５】
（実施形態１の実施例１）
図３に示すのは、実施形態１の実施例１のコンビニエンス・プリントアウトサーバ装置０３００の実施例１である。コンビニエンス・プリントアウトサーバ装置は、プリントアウト情報取得部０３０１と、まとめ情報変換部０３０２と、送信部０３０３と、からなる。
【００２６】
いま、プリントアウト情報取得部は、プリントアウト情報として、複数のコンテンツ情報「コンテンツ情報１」と「コンテンツ情報２」と「コンテンツ情報３」、実行場所識別子「ＣＳＳ１１１−ＰＳ１１１−ＰＲ１１１」を取得するものとする。取得されたプリントアウト情報は、まとめ情報変換部に出力される。まとめ情報変換部は、プリントアウト情報を取得し、複数のコンテンツ情報「コンテンツ情報１」と「コンテンツ情報２」と「コンテンツ情報３」を、それぞれ「コンテンツ情報１」と「コンテンツ情報２」と「コンテンツ情報３」に対応する「コンテンツ１」と「コンテンツ２」と「コンテンツ３」を含む一の「まとめ情報」に変換する。変換された「まとめ情報」は、実行場所識別子「ＣＳＳ１１１−ＰＳ１１１−ＰＲ１１１」とともに、送信部に出力される。送信部は、まとめ情報を実行場所識別子「ＣＳＳ１１１−ＰＳ１１１−ＰＲ１１１」で識別されるプリントアウト実行場所に送信する。なお、実行場所識別子は、プリントアウト実行場所に送信される場合もあれば、されない場合もある。
【００２７】
<処理の流れ>
以下に、実施形態１の処理の流れを説明する。
図５に示すのは、実施形態１の処理の流れを示す図である。
まず、プリントアウト情報取得部は、プリントアウトしたい複数のコンテンツ情報と、コンテンツ情報のプリントアウト実行場所を識別するための実行場所識別子と、を含む情報であるプリントアウト情報を取得する（ステップＳ０５０１）。次に、まとめ情報変換部は、プリントアウトフォーマット統一実行手段において、プリントアウト情報取得部で取得したプリントアウト情報に含まれる複数のコンテンツ情報を、プリントアウト可能なフォーマットに統一する（ステップＳ０５０２）。次に、まとめ情報変換部は、レイアウト実行手段において、プリントアウトフォーマット統一実行手段にて変換・統一されたフォーマットを有する複数のコンテンツ情報を、一枚の紙にまとめてプリントアウト可能な情報であるまとめ情報となるように編集・配置する（ステップＳ０５０３）。次に、送信部は、まとめ情報変換部で変換されたまとめ情報を、プリントアウト情報に含まれる実行場所識別子で識別されるプリントアウト実行場所に送信する（ステップＳ０５０４）。
【００２８】
<実施形態１の効果の簡単な説明>
本件発明のマルチコンテンツプリントサービスによれば、サービス利用者は、複数のコンテンツ情報を一枚の紙にまとめてプリントアウト可能であるので複数のコンテンツを比較参照することが容易となる。また、複数のコンテンツ情報を一枚の紙にまとめてプリントアウトすることにより、プリントアウトする紙の数を削減することが可能となる。また、複数のコンテンツを一枚の紙にまとめるための変換ソフトはコンビニエンス・プリントアウトサーバ装置にのみ設置すればよい。このため、コンビニ店舗運営者にとっては、統一されたフォーマットのまとめ情報をプリントアウトするソフトがあればよいので経済的である。
【００２９】
<<実施形態２>>
<実施形態２の概念>
実施形態２は、まとめ情報変換部で変換されたまとめ情報は、無償ビューアを利用してプリントアウト可能なフォーマットである無償プリントアウトフォーマット情報である実施形態１に記載のコンビニエンス・プリントアウトサーバ装置に関する。
【００３０】
<構成要件の明示>
以下に、実施形態２の構成要件を明示する。
図６に示すのは、実施形態２のコンビニエンス・プリントアウトサーバ装置０６００の機能ブロック図である。コンビニエンス・プリントアウトサーバ装置は、プリントアウト情報取得部０６０１と、まとめ情報変換部０６０２と、送信部０６０３と、からなる。
【００３１】
<構成の説明>
以下に、実施形態２の構成要件の説明をする。
<基本機能ブロック図の導入>
プリントアウト情報取得部と送信部については、実施形態1の説明と同様なので、説明を省略する。
【００３２】
（まとめ情報変換部）
「まとめ情報変換部」は、プリントアウト情報取得部で取得したプリントアウト情報に含まれる複数のコンテンツ情報を一枚の紙にまとめてプリントアウト可能な情報であるまとめ情報に変換する。まとめ情報変換部で変換されたまとめ情報は、無償ビューアを利用してプリントアウト可能なフォーマットである無償プリントアウトフォーマット情報である。ここで「無償ビューア」には、まとめ情報変換部で変換されたまとめ情報を閲覧し、プリントアウトすることが可能な無償のソフトウェアなどが該当する。無償ビューアには、例えば、Ａｃｒｏｂａｔ（登録商標）  Ｒｅａｄｅｒ、ＶＩＳＩＯ（登録商標）などがある。
【００３３】
次に、まとめ変換部での実行手段について説明する。一例として、まとめ変換部は、無償プリントアウトフォーマット統一実行手段と、レイアウト実行手段と、を有する。
【００３４】
「無償プリントアウトフォーマット統一実行手段」は、プリントアウト情報取得部で取得したプリントアウト情報に含まれる複数のコンテンツ情報のフォーマットを、プリントアウト実行場所であるコンビニエンスプリント端末などが無償ビューアを利用してプリントアウト可能なフォーマットに統一する実行手段である。例えば、複数のコンテンツ情報は、コンテンツ情報１、コンテンツ情報２、コンテンツ情報３で構成されているものとする。コンテンツ情報１のフォーマットはワープロソフトフォーマット、コンテンツ情報２のフォーマットは図面ソフトフォーマット、コンテンツ情報３のフォーマットは表計算ソフトフォーマットであるとする。このとき、コンテンツ情報１、コンテンツ情報２、コンテンツ情報３は、コンビニエンスプリント端末などがプリントアウト可能な無償プリントアウトフォーマット、例えば、ＰＤＦ（Ｐｏｒｔａｂｌｅ  Ｄｏｃｕｍｅｎｔ  Ｆｏｒｍａｔ）形式に変換・統一される。ここで、フォーマットの変換に際して、市販のアプリケーションソフトやフリーソフトを利用するような場合には、特定のコンテンツ情報のフォーマットから無償プリントアウトフォーマットに直接変換することができないような場合が考えられる。このような場合には、複数の段階に分けて、無償プリントアウトフォーマットに変換することも可能である。例えば、利用する市販のアプリケーションソフトやフリーソフトにおいて、図面ソフトフォーマットから無償プリントアウトフォーマットへの変換がサポートされていない場合には、第一段階として、利用する市販のアプリケーションソフトやフリーソフトにおいてサポートされている、図面ソフトフォーマットから中間プリントアウトフォーマットに変換する。次に、第二段階として、利用する市販のアプリケーションソフトやフリーソフトにおいてサポートされている、中間プリントアウトフォーマットから無償プリントアウトフォーマットへの変換を行う。
【００３５】
図１４に示すのは、無償プリントアウトフォーマット統一実行手段によって、コンテンツ情報１、コンテンツ情報２、コンテンツ情報３が無償プリントアウトフォーマット（ＰＤＦ形式）に変換・統一される概念の一例を示した図である。コンテンツ情報１はワープロ文書、コンテンツ情報２は図面、コンテンツ情報３は表であり、それぞれのアプリケーションソフトで作成されているものとする。プリントアウトフォーマット統一実行手段は、それぞれのアプリケーションソフトで作成されたワープロ文書・図面・表を、第一段階として、ビットマップ形式に変換・統一する。次に、第二段階として、ビットマップ形式に変換・統一されたワープロ文書・図面・表を、ＰＤＦ形式に変換・統一する。
【００３６】
「レイアウト実行手段」については、実施形態１の説明と同様であるので、説明を省略する。
【００３７】
<実施例に基づく説明>
以下に、実施形態２のコンビニエンス・プリントアウトサーバ装置の実施例１について説明する。
【００３８】
（実施形態２の実施例１）
図７に示すのは、実施形態２の実施例１のコンビニエンス・プリントアウトサーバ装置０７００の実施例１である。コンビニエンス・プリントアウトサーバ装置は、プリントアウト情報取得部０７０１と、まとめ情報変換部０７０２と、送信部０７０３と、からなる。
【００３９】
いま、プリントアウト情報取得部は、プリントアウト情報として、複数のコンテンツ情報「コンテンツ情報１」と「コンテンツ情報２」と「コンテンツ情報３」、実行場所識別子「ＣＳＳ１１１−ＰＳ１１１−ＰＲ１１１」を取得するものとする。取得されたプリントアウト情報は、まとめ情報変換部に出力される。まとめ情報変換部は、プリントアウト情報を取得し、複数のコンテンツ情報「コンテンツ情報１」と「コンテンツ情報２」と「コンテンツ情報３」を、それぞれ「コンテンツ情報１」と「コンテンツ情報２」と「コンテンツ情報３」に対応する「コンテンツ１」と「コンテンツ２」と「コンテンツ３」を含む一の「まとめ情報（無償プリントアウトフォーマット情報）」に変換する。変換された「まとめ情報（無償プリントアウトフォーマット情報）」は、実行場所識別子「ＣＳＳ１１１−ＰＳ１１１−ＰＲ１１１」とともに、送信部に出力される。送信部は、まとめ情報（無償プリントアウトフォーマット情報）を実行場所識別子「ＣＳＳ１１１−ＰＳ１１１−ＰＲ１１１」で識別されるプリントアウト実行場所に送信する。なお、実行場所識別子は、プリントアウト実行場所に送信される場合もあれば、されない場合もある。
【００４０】
<処理の流れ>
以下に、実施形態２の処理の流れを説明する。
図８に示すのは、実施形態２の処理の流れを示す図である。
まず、プリントアウト情報取得部は、プリントアウトしたい複数のコンテンツ情報と、コンテンツ情報のプリントアウト実行場所を識別するための実行場所識別子と、を含む情報であるプリントアウト情報を取得する（ステップＳ０８０１）。次に、まとめ情報変換部は、無償プリントアウトフォーマット統一実行手段において、プリントアウト情報取得部で取得したプリントアウト情報に含まれる複数のコンテンツ情報を、無償ビューアを利用してプリントアウト可能なフォーマットに統一する（ステップＳ０８０２）。次に、まとめ情報変換部は、レイアウト実行手段において、無償プリントアウトフォーマット統一実行手段にて変換・統一されたフォーマットを有する複数のコンテンツ情報を、一枚の紙にまとめてプリントアウト可能な情報であるまとめ情報（無償プリントアウトフォーマット情報）となるように編集・配置する（ステップＳ０８０３）。次に、送信部は、まとめ情報変換部で変換されたまとめ情報（無償プリントアウトフォーマット情報）を、プリントアウト情報に含まれる実行場所識別子で識別されるプリントアウト実行場所に送信する（ステップＳ０８０４）。
【００４１】
<実施形態２の効果の簡単な説明>
本件発明のマルチコンテンツプリントサービスによれば、複数のコンテンツ情報を一枚の紙にまとめてプリントアウト可能であるので複数のコンテンツを比較参照することが容易となる。また、複数のコンテンツ情報を一枚の紙にまとめてプリントアウトすることにより、プリントアウトする紙の数を削減することが可能となる。また、コンビニエンス・プリントアウトサーバ装置にのみ複数のコンテンツを一枚の紙にまとめるための変換ソフトを設置すればよいので非常に経済的である。
【００４２】
さらに、無償ビューアを利用することにより、コンビニエンス・プリントアウトサーバ装置のサービス提供者は、コンテンツ情報を、無償ビューアを利用してプリントアウト可能なまとめ情報（無償プリントアウトフォーマット情報）に変換するソフトを用意することで、サービス利用者数の拡大が望める。また、コンビニエンスプリント端末の運営者は、無償ビューアを設置するだけで済むので、経済的である。
【００４３】
<<実施形態３>>
<実施形態３の概念>
実施形態３は、プリントアウト情報には、プリントアウトする紙のサイズを識別するための情報である紙サイズ識別情報が含まれる実施形態１又は２に記載のコンビニエンス・プリントアウトサーバ装置に関する。
【００４４】
<構成要件の明示>
以下に、実施形態３の構成要件を明示する。
図９に示すのは、実施形態３のコンビニエンス・プリントアウトサーバ装置０９００の機能ブロック図である。コンビニエンス・プリントアウトサーバ装置は、プリントアウト情報取得部０９０１と、まとめ情報変換部０９０２と、送信部０９０３と、からなる。
【００４５】
<構成の説明>
以下に、実施形態３の構成要件の説明をする。
【００４６】
<基本機能ブロック図の導入>
送信部については、実施形態1又は２の説明と同様なので、説明を省略する。
【００４７】
（プリントアウト情報取得部）
「プリントアウト情報取得部」は、プリントアウトしたい複数のコンテンツ情報と、コンテンツ情報のプリントアウト実行場所を識別するための実行場所識別子と、を含む情報であるプリントアウト情報を取得する。さらにプリントアウト情報には、プリントアウトする紙のサイズを識別するための情報である紙サイズ識別情報が含まれる。ここで「紙サイズ識別情報」には、一例として、「Ａ３」、「Ａ４」、「Ａ５」、「Ａ６」、「Ｂ４」、「Ｂ５」、「Ｂ６」、「官製はがき」、「洋型４号」、「洋型２号」、「レター」などが該当する。
【００４８】
（まとめ情報変換部）
「まとめ情報変換部」は、プリントアウト情報取得部で取得したプリントアウト情報に含まれる複数のコンテンツ情報を一枚の紙にまとめてプリントアウト可能な情報であるまとめ情報に変換する。
【００４９】
次に、まとめ変換部での実行手段について説明する。一例として、まとめ変換部は、（無償）プリントアウトフォーマット統一実行手段と、レイアウト実行手段と、を有する。
【００５０】
「（無償）プリントアウトフォーマット統一実行手段」については、実施形態１又は２の説明と同様であるので、説明を省略する。
【００５１】
また、「レイアウト実行手段」については、（無償）プリントアウトフォーマット統一実行手段にて変換・統一されたフォーマットを有する複数のコンテンツ情報を、紙サイズ識別情報で指定された紙サイズの一枚の紙にまとめてプリントアウト可能な情報であるまとめ情報となるように編集・配置する実行手段である。一例として、コンテンツ情報１、コンテンツ情報２、コンテンツ情報３（紙サイズはすべてＡ４縦サイズ）をまとめ情報に変換する場合について説明する。ここで、紙サイズ識別情報で指定される紙サイズがＡ４縦サイズであるとする。この場合には、コンテンツ情報１とコンテンツ情報２を上段に配置し、コンテンツ情報３を下段に配置する。このとき全体の紙サイズはＡ２縦サイズとなっている。この状態で、Ａ４縦サイズになるように縦横を縮小する。あるいはコンテンツ情報１、コンテンツ情報２、コンテンツ情報３を先にＡ６縦サイズに縮小してからＡ４縦サイズに配置することもできる。また、Ｂ４縦サイズからＡ４縦サイズへの変更のように、変更する紙サイズの型が異なる場合には、元のコンテンツ情報の紙サイズの縦横の拡大・縮小比率を変更することにより所望の紙サイズにまとめることができる。この場合、一例として、縦横の紙サイズの拡大・縮小比率を変更することによって、元のコンテンツ情報の文字ポイントの大きさがある大きさ以下になるような場合には、紙サイズ識別情報で指定される紙サイズをまとめ変換部が自動で変更することも可能である。
【００５２】
図１５、図１６に示すのは、レイアウト実行手段によって、コンテンツ情報１、コンテンツ情報２、コンテンツ情報３が、紙サイズ識別情報で指定される紙サイズにレイアウトされる概念の一例を示した図である。（無償）プリントアウトフォーマット統一実行手段によって、それぞれ紙サイズＡ４縦のコンテンツ情報１、コンテンツ情報２、コンテンツ情報３は、図１５のようにレイアウトされ、全体としてＡ２縦の紙サイズになる。ここで、紙サイズ識別情報で指定される紙サイズがＡ４縦であるとすると、図１６に示すように、紙サイズＡ２縦にまとめられたコンテンツ情報が縦横それぞれ１／２に縮小されて、紙サイズ識別情報で指定される紙サイズＡ４縦に変換される。
それ以外については、実施形態１又は２の説明と同様であるので、説明を省略する。
【００５３】
<実施例に基づく説明>
以下に、実施形態３の実施例１のコンビニエンス・プリントアウトサーバ装置の実施例１について説明する。
【００５４】
（実施形態３の実施例１）
図１０に示すのは、実施形態３のコンビニエンス・プリントアウトサーバ装置１０００の実施例１である。コンビニエンス・プリントアウトサーバ装置は、プリントアウト情報取得部１００１と、まとめ情報変換部１００２と、送信部１００３と、からなる。
【００５５】
いま、プリントアウト情報取得部は、プリントアウト情報として、複数のコンテンツ情報「コンテンツ情報１」と「コンテンツ情報２」と「コンテンツ情報３」、実行場所識別子「ＣＳＳ１１１−ＰＳ１１１−ＰＲ１１１」、紙サイズ識別情報「Ａ４」を取得するものとする。取得されたプリントアウト情報は、まとめ情報変換部に出力される。まとめ情報変換部は、プリントアウト情報を取得し、複数のコンテンツ情報「コンテンツ情報１」と「コンテンツ情報２」と「コンテンツ情報３」を、それぞれ「コンテンツ情報１」と「コンテンツ情報２」と「コンテンツ情報３」に対応する「コンテンツ１」と「コンテンツ２」と「コンテンツ３」を含む一の「まとめ情報」に変換する。変換された「まとめ情報」は、実行場所識別子「ＣＳＳ１１１−ＰＳ１１１−ＰＲ１１１」、紙サイズ識別情報「Ａ４」とともに、送信部に出力される。送信部は、「まとめ情報」と、紙サイズ識別情報「Ａ４」を実行場所識別子「ＣＳＳ１１１−ＰＳ１１１−ＰＲ１１１」で識別されるプリントアウト実行場所に送信する。なお、実行場所識別子は、プリントアウト実行場所に送信される場合もあれば、されない場合もある。
【００５６】
<処理の流れ>
以下に、実施形態３の処理の流れを説明する。
図１１に示すのは、実施形態３の処理の流れを示す図である。
まず、プリントアウト情報取得部は、プリントアウトしたい複数のコンテンツ情報と、コンテンツ情報のプリントアウト実行場所を識別するための実行場所識別子と、プリントアウトする紙のサイズを識別するための情報である紙サイズ識別子を含む情報であるプリントアウト情報を取得する（ステップＳ１１０１）。次に、まとめ情報変換部は、（無償）プリントアウトフォーマット統一実行手段において、プリントアウト情報取得部で取得したプリントアウト情報に含まれる複数のコンテンツ情報を、（無償ビューアを利用して）プリントアウト可能なフォーマットに統一する（ステップＳ１１０２）。次に、まとめ情報変換部は、レイアウト実行手段において、（無償）プリントアウトフォーマット統一実行手段にて変換・統一されたフォーマットを有する複数のコンテンツ情報を、紙サイズ識別情報で指定された紙サイズの一枚の紙にまとめてプリントアウト可能な情報であるまとめ情報（無償プリントアウトフォーマット情報）となるように編集・配置する（ステップＳ１１０３）。次に、送信部は、まとめ情報変換部で変換されたまとめ情報と、紙サイズ識別情報を、プリントアウト情報に含まれる実行場所識別子で識別されるプリントアウト実行場所に送信する（ステップＳ１１０４）。
【００５７】
<実施形態３の効果の簡単な説明>
本件発明のマルチコンテンツプリントサービスによれば、プリントアウトしたい紙サイズでプリントアウトすることが可能となる。
【産業上の利用可能性】
【００５８】
本件発明は、複数のコンテンツ情報を一枚の紙にまとめてプリントアウト可能なマルチコンテンツプリントサービスに利用可能である。
【図面の簡単な説明】
【００５９】
【図１】実施形態１の概念図
【図２】実施形態１の機能ブロック図
【図３】実施形態１の実施例１を示す図
【図４】実施形態１の複数のコンテンツ情報をまとめ情報に変換する概念図
【図５】実施形態１の処理の流れ図
【図６】実施形態２の機能ブロック図
【図７】実施形態２の実施例１を示す図
【図８】実施形態２の処理の流れ図
【図９】実施形態３の機能ブロック図
【図１０】実施形態３の実施例１を示す図
【図１１】実施形態３の処理の流れ図
【図１２】実施形態１のプリントアウトフォーマット統一実行手段による変換の概念を示す図
【図１３】実施形態１のレイアウト実行手段によるレイアウトの概念を示す図
【図１４】実施形態２の無償プリントアウトフォーマット統一実行手段による変換の概念を示す図
【図１５】実施形態３のレイアウト実行手段によるレイアウトその１の概念を示す図
【図１６】実施形態３のレイアウト実行手段によるレイアウトその２の概念を示す図
【符号の説明】
【００６０】
０２００  コンビニエンス・プリントアウトサーバ装置
０２０１  プリントアウト情報取得部
０２０２  まとめ情報変換部
０２０３  送信部
【図１】
2005141422.tif 000003
【図２】
2005141422.tif 000004
【図３】
2005141422.tif 000005
【図４】
2005141422.tif 000006
【図５】
2005141422.tif 000007
【図６】
2005141422.tif 000008
【図７】
2005141422.tif 000009
【図８】
2005141422.tif 000010
【図９】
2005141422.tif 000011
【図１０】
2005141422.tif 000012
【図１１】
2005141422.tif 000013
【図１２】
2005141422.tif 000014
【図１３】
2005141422.tif 000015
【図１４】
2005141422.tif 000016
【図１５】
2005141422.tif 000017
【図１６】
2005141422.tif 000018